(57)【特許請求の範囲】
【請求項１】
可撓性の材料で構成されエレベータかごの壁面に接する２つの側面を備えた柱状の本体と、前記２つの側面の外側に取り付けられた磁性体とを備え、前記本体は前記エレベータかごの壁面に接する前記２つの側面の結合部分が開閉することを特徴とした避難袋。
【請求項２】
前記磁性体は、可撓性の材料で構成された薄板状の形状であることを特徴とした請求項１に記載の避難袋。
【請求項３】
前記磁性体を前記２つの側面に高さ方向に隙間を設けて２枚以上配置したことを特徴とした請求項２に記載の避難袋。
【請求項４】
前記本体の断面形状と同一形状で水平に設置される水平部とこの水平部の周囲から突出し前記本体の各側面と平行な固定部を備えた棚を前記固定部により前記本体の内側に固定したことを特徴とした請求項１ないし請求項３のいずれか１項に記載の避難袋。
【請求項５】
前記本体は、その内側に取り付けられた本体面ファスナーを備え、
前記棚は、前記固定部の外側に配置され前記本体面ファスナーとかみ合う棚面ファスナーを備えたことを特徴とした請求項４に記載の避難袋。
【請求項６】
前記棚の前記水平部と前記固定部は可撓性の材料で形成され、
前記棚は前記水平部と同一の平面形状であり前記水平部に重ね合わせて配置され剛性のある材料で構成された薄板状の補剛部材を備えたことを特徴とした請求項４または請求項５に記載の避難袋。
【請求項７】
前記２つの側面は、前記エレベータかごの壁面に固定されたフックに掛けて前記本体を固定するフック掛け部を備えたことを特徴とした請求項１ないし請求項６のいずれか１項に記載の避難袋。
【発明の詳細な説明】
【技術分野】
【０００１】
本発明は、エレベータのかごが乗降位置以外の位置で停止した際に中に閉じ込められた乗客のための食料等の非常用品を収納しておく避難袋に関する。
【背景技術】
【０００２】
人員や貨物を輸送するために建物内に設置されるエレベータは、地震の際に自動的に停止する機構を備えている。人員を輸送するかごが各階の乗降位置に停止した場合は、乗客は停止後直ちに乗降口から脱出することができる。しかし、安全装置の作動などによりかごが階と階の間で停止してしまった場合は、乗客はかご内に閉じ込められてしまい、脱出するためにはエレベータ会社の保守要員等による救出作業を待たなければならない。大規模な地震が発生した場合には、こうした閉じ込め事故が多発し救出に時間がかかることも考えられる。日本においては、２４時間以上乗客が閉じ込められた事例が過去に発生している。
【０００３】
このような事態に備え、かご内に閉じ込められた乗客が救出されるまでの間に必要とする食料などの非常用品を収納した箱や袋をかご内に設置しておくことの必要性が指摘されている。非特許文献１にはこのような目的に使用する防災キャビネットが記載されている。この防災キャビネットは、３角柱状の金属製の箱で、かご内の偶角部に設置しキャビネット内部の空間に非常用食料等を収納するようになっている。
【先行技術文献】
【非特許文献】
【０００４】
【非特許文献１】社会福祉法人東京コロニー東京都葛飾福祉工場、「防災・避難用品カタログ」、２０１１年、ｐ２１
【発明の概要】
【発明が解決しようとする課題】
【０００５】
上記の防災キャビネットは、金属製であるため柔軟性がなく、平常時に乗客に与える圧迫感が強いという問題があった。また、自重により地震時の転倒を防止する構造であるため、Ｌタイプの場合で１０．５ｋｇと重量が大きく取り扱いにくいという問題があった。
【０００６】
本発明は上記の実情を鑑みてなされたもので、乗客に与える圧迫感が少なく、取り扱いの容易な避難袋を提供することを目的とする。
【課題を解決するための手段】
【０００７】
本発明の避難袋は、可撓性の材料で形成されエレベータかごの壁面に接する２つの側面を備えた柱状の本体と、２つの側面の外側に取り付けられた磁性体とを備え、前記本体は前記エレベータかごの壁面に接する前記２つの側面の結合部分が開閉することを特徴としている。
【発明の効果】
【０００８】
本発明の避難袋は、乗客に与える圧迫感が少なく、取り扱いが容易である。
【図面の簡単な説明】
【０００９】
【図１】図１はかご内に設置した避難袋の斜視図である。
【図２】図２は避難袋本体の展開図である。
【図３】図３は避難袋の背面図である。
【図４】図４は避難袋の平面図である。
【図５】図５（ａ）は棚の平面図である。図５（ｂ）は棚の側面図である。
【図６】図６（ａ）と図６（ｂ）は棚の本体への取り付け方を説明する図である。
【図７】図７は折りたたんだ避難袋を示す図である。
【図８】図８は磁性体の配置例を示す図である。
【図９】図９は本体の形状の例を示す図である。
【図１０】図１０は面ファスナーの配置例を示す図である。
【図１１】図１１フックを併用して固定する場合の側面の正面図である。
【図１２】図１２（ａ）はフック付き磁石の斜視図である。図１２（ｂ）はフック掛け部の正面図である。図１２（ｃ）はフック掛け部の断面図である。
【発明を実施するための形態】
【００１０】
本発明の一実施形態である避難袋について図面を参照しながら説明する。図１は、エレベータのかご内に設置した避難袋の斜視図である。
【００１１】
エレベータかご１００は、左の壁面１０１ａ、右の壁面１０１ｂ、奥の壁面１０２、開閉式となっており移動時や階の途中で停止した場合は閉じた状態となる乗降口１０３、床面１０４、天井１０５によって形成される直方体状の箱である。各面の材料は通常鋼鉄などの金属で構成されている。
【００１２】
避難袋１は、側面１１ａ、側面１１ｂ、側面１２、天板１３、底板１４によって形成される３角柱状の本体１０を備えている。本体１０の内部の空間に、閉じ込め事故が発生した際に閉じ込められた乗客が使用する食料等の非常用品を収納しておく。本体１０の内部には空間を高さ方向に約３等分する位置に２個の棚４０を設けて内部空間を有効に利用できるようにしてある。
【００１３】
寸法は、大型・中型のエレベータ用として、たとえば側面１１ａ、１１ｂの幅が２０ｃｍ、側面１２の幅が２８ｃｍ、高さが１２０ｃｍ程度、小型のエレベータ用として、たとえば側面１１ａ、１１ｂの幅が２０ｃｍ、側面１２の幅が２８ｃｍ、高さが９０ｃｍ程度とする。エレベータのかご１００の内部空間の大きさに対し過度に大きくならないようにし通常時の乗客に圧迫感を与えないようにするのが望ましい。
【００１４】
避難袋１は、エレベータかご１００の床面１０４の奥の偶角部に、底板１４が下に天板１３が上となるように、側面１１ａがエレベータかご１００の左の壁面１０１ａに、側面１１ｂがエレベータかご１００の奥の壁面１０２にそれぞれ接するように置いて使用する。
【００１５】
本体１０のエレベータかご１００の壁面に接する２つの側面１１ａ、１１ｂには、それぞれ４個の磁性体２１が取り付けられている。側面１１ａはエレベータかご１００の左の壁面１０１ａに、磁性体２１によって固定されている。同様に、側面１１ｂはエレベータかご１００の奥の壁面１０２に、磁性体２１によって固定されている。
【００１６】
図２は本体１０の展開図で紙面表側が本体１０の内側を表している。長方形の中央部分が側面１２で、左側の長方形部分が側面１１ｂ、右側の長方形部分が側面１１ａである。側面１２の上部には直角２等辺３角形の天板１３が、下部には直角２等辺３角形の底板１４がそれぞれ突出している。側面１１ａ、１１ｂの端部には線ファスナー３０ａ、３０ｂがそれぞれ取り付けられている。側面１１ｂ、１２、１１ａの内側の高さを約３等分する位置２カ所に全幅（組み立てた状態では全周）にわたって棚４０を固定するための本体面ファスナー１６が取り付けられている。側面１１ａ、１１ｂの外側にはそれぞれ４個の磁性体２１が取り付けられている。
【００１７】
本体１０は、可撓性の材料により構成されている。本実施形態では外側表面に防炎加工を施した厚手の布を採用しているが、他の可撓性の材料、たとえば合成樹脂のシート等を用いてもよい。また、本実施形態では本体１０の外側の色を濃い緑色としているが、エレベータかご１００の壁面の色等を勘案し、目立ちすぎず落ち着いた感じを与える色とするのが望ましい。
【００１８】
本体１２の組み立て方を説明する。直線１７ａに沿って側面１２に対して垂直になるように天板１３を折り曲げる。直線１７ｂに沿って側面１２に対して垂直になるように底板１４を折り曲げる。直線１７ｃに沿って側面１２に対して４５°となるように側面１２ｂを折り曲げる。直線１７ｄに沿って側面１２に対して４５°となるように側面１１ａを折り曲げる。側面１１ｂの上端２３ｂと天板１３の左端２５を、側面１１ａの上端２３ａと天板１３の右端２６を、側面１１ｂの下端２４ｂと底板１４の左端２７を、側面１１ａの下端２４ａと底板１４の右端２８を、それぞれ縫合する。線ファスナー３０ａの下端と線ファスナー３０ｂの下端をまたいでスライダー３１（図３参照）を取り付ける。このようにして、本体１０を３角柱状に形成する。
【００１９】
図３は避難袋１の背面図、図４は避難袋１の平面図である。
側面１１ａの外側には、１列に４個の磁性体２２が取り付けられている。各々の磁性体２２は高さ方向に隙間を設けて配置されている。磁性体２１の長さ（高さ方向の寸法）は本体１０の高さの４分の１よりやや短く、幅は側面１１ａの幅の３分の２程度である。磁性体２１は厚さ１ｍｍ程度の可撓性材料で構成された薄板状のもの（いわゆるマグネットシート）を用いている。側面１１ｂにも側面１１ａと同様の配置で４個の磁性体２１が取り付けられている。
【００２０】
側面１１ａと側面１１ｂの結合部分は高さ方向の全長にわたって線ファスナー３０ａ、３０ｂが取り付けられている。スライダー３１を上下方向に移動させることにより、線ファスナー３０ａと線ファスナー３０ｂが一体化／分離化し側面１１ａと側面１１ｂの結合部分が開閉する。
【００２１】
本体１０の断面形状はエレベータかご１００の壁面１０１ａ、１０２にそれぞれ接する２つの側面１１ａと１１ｂとが直角をなし、もう一つの側面１２が斜辺となる直角２等辺３角形となっている。このようにすることによって本体１０をエレベータかご１００の偶角部に隙間無く設置することができる。
【００２２】
図５（ａ）は棚４０の平面図、図５ｂは棚４０の側面図である。
棚４０は、布部材５０の表側（棚４０を本体１０の内部に設置した状態では下側）に補剛部材５１を縫合して構成される。布部材５０は、本体１０の断面形状と同形状の水平部４１、水平部分４１の周囲から突出した長方形の固定部４２ａ、４２ｂ、４３を備えている。固定部４２ａ、４２ｂ、４３の裏側（棚４０を本体１０の内部に設置した状態では外側）には、ほぼ全面を覆うように本体１０の内側に配置された本体面ファスナー１６とかみ合う棚面ファスナー４４ａ、４４ｂ、４５がそれぞれ縫合されている。
【００２３】
布部材５０は本体１０と同材質の可撓性の材料で構成されている。補剛部材５１は硬質の合成樹脂、木材等の剛性のある材料を用いて、本体内に収納される非常用品の重量を支持できるようにする。
【００２４】
図６（ａ）と図６（ｂ）は、棚４０の本体１０への固定方法を説明する図である。
まず、図６（ａ）に示すように固定部４１の棚面ファスナー４３と本体面ファスナー１６のうち側面１２に配置されている部分１６ｃとをかみ合わせて固定する。
【００２５】
次に、図６（ｂ）に示すように、水平部分４１を側面１２に対して垂直になるように折り曲げる。固定部４２ａと固定部４２ｂを水平部４１に対して垂直になるように下向きに折り曲げる。側面１１ａ、側面１１ｂを図６（ｂ）の矢印の方向に引き寄せ、本体面ファスナー１６のうち側面１１ａに配置された部分１６ａと棚面ファスナー４２ａとを、本体面ファスナー１６のうち側面１１ｂに配置された部分１６ｂと棚側面ファスナー４２ｂとをそれぞれかみ合わせて棚４０を本体１０の内部に固定する。すわわち、棚４０を本体１０の内部に固定した状態では、固定部４２ａ、４２ｂ、４３は、本体１０の側面１１ａ、１１ｂ、１２とそれぞれ平行となる。
【００２６】
図７は、避難袋１を折りたたんだ状態を示す図である。
棚４０は、図６（ａ）のように固定部４３だけが本体１０に固定され側面１２に沿わせた状態にしておく。三角形をつぶす要領で側面１２に側面１１ａ、１１ｂが密着するように折りたたみ、さらに長手方向を折り目が棚４０にかからないように、磁性体２１の隙間が折り目になるように４つ折りにする。天板１３と底板１４も邪魔にならないように折り返しておく。
【００２７】
エレベータかご１００の壁面に避難袋１を固定するための磁性体の形状とその配置は、図３等に示した態様に限定されない。図８に磁性体の配置の別の例を示す。本体１０の形状は図３に示したものと同様である。磁性体６０は、円盤形の永久磁石でこれを側面１１ａ、１１ｂに直線上に４段に配置している。磁性体の配置は、用いる磁性体の磁力の強さや本体１０と内部に収納する非常用品の重量に応じて適宜定めれば良いが、図３や図９に示したように、側面１１ａ、１１ｂの全体に広く分布するように配置すれば、本体１０の形状を保持する効果が大きくなる。
【００２８】
本体の形状は、エレベータかご１００の壁面に接する２つの側面を備えたものであれば３角柱に限定されない。本体の形状を３角柱以外とした例を、図９（ａ）と図９（ｂ）に示す。
【００２９】
図９（ａ）の本体１０ａは、円柱状の形状とした例である。円柱状の側面１２ａに２つの直交する水平な側面１１ａ、１１ｂを設けている。側面１１ａ、１１ｂにはそれぞれ薄板状の磁性体２１が取り付けられ、この磁性体２１により図１と同様にエレベータかごの壁面に固定する。
【００３０】
図９（ｂ）の本体１０ｂは、４角柱状の形状とした例である。図４の側面１２を側面１１ａ、１１ｂと同じ幅の直交する２側面１２ｂ、１２ｃに置き換えた形状となっている。側面１１ａ、１１ｂにはそれぞれ薄板状の磁性体２１が取り付けられ、この磁性体２１により図１と同様にエレベータかごの壁面に固定する。
【００３１】
図９（ａ）と図９（ｂ）に示した形状の場合も、図５の棚４０と同様の構成の棚を本体内部に設けても良い。
【００３２】
棚４０を本体１０に固定するための面ファスナーの配置は、図２に示したような全周に配置する態様には限定されない。たとえば、図１０に示すように各側面の一部に本体面ファスナー１６ｄ、１６ｅ、１６ｆを配置するようにしてもよい。この場合、棚面ファスナーも本体側面ファスナーと対応する部分に配置すればよい。
【００３３】
棚４０を本体１０に固定する方法は、面ファスナーによる方法には限定されない。棚４０の固定部４２ａ、４２ｂ、４３を本体１０の内側に縫合したり接着したりして固定してもよい。
【００３４】
本体１０をエレベータかご１００の壁面１０１ａ、１０２に固定するために、フックを併用しても良い。図１１は、フックを併用する場合のエレベータかご１００の壁面１０１ｂに固定された側面１１ｂの正面図である。側面１１ｂの側面１２側の端部２カ所には円形のフック掛け用穴１８が設けられている。フック掛け用穴１８の上下方向の位置は上端付近と、上の方の本体面ファスナー１６のやや下としている。すなわち棚４０によって作られる３個の内部空間のうち上と中央のものの上端付近としている。壁面１０２のフック掛け用穴１８と対応する位置には２個のフック付き磁石７０が固定されている。側面１１ａにも、図１１と同様に２個のフック掛け用穴１８が設けられ、壁面１０１ａにも２個のフック付き磁石が取り付けられている。
【００３５】
図１２（ａ）は、フック付き磁石７０の斜視図である。フック付き磁石７０は、平板状の磁石７１と、この磁石７１に固定されたＬ字状のフック７２を備えている。磁石７１のフック７２が固定されている面と反対側の面をエレベータかご１００の壁面に密着させ、磁力により固定する。
【００３６】
図１２（ｂ）はフック掛け部の正面図、図１２（ｃ）はフック掛け部の断面図である。フック掛け用穴１８の周囲には輪状の補強金具１９が取り付けられ、フック掛け用穴１８と補強金具１９によりフック掛け部１７が構成されている。側面１１ｂのフック掛け用穴１８にフック７２を貫通させて、側面１１ｂをフック７２につり下げるようにして固定する。
【００３７】
なお、フック掛け部は、たとえば、ひもやテープ状の布で構成した輪を側面１１ａ、１１ｂの外側に設ける等、図１２（ｂ）、図１２（ｃ）に示したものとは異なる構成を採用することもできる。
【００３８】
避難袋１の本体１０は、可撓性の材料で構成され、エレベータかご１００の壁面１０１ａ、１０２に接する側面１１ａ、１１ｂを備えている。この側面１１ａ、１１ｂには磁性体２１が取り付けられている。本体１０が可撓性の材料で構成されているため、外観に柔らかみが有り、乗客が実際に接触した場合にも金属等の硬質の材料で構成された収納器具に比べて抵抗が少ない。そのため、乗客に与える圧迫感、あるいは目障りな感じが硬質の材料で構成した場合比べて少ない。また、磁性体２１をエレベータかご１００の壁面１０１ａ、１０２に密着させるだけで、壁面１０１ａ、１０２に治具等を設けることなく、また、工具を何ら使用することなく簡単に設置することができる。
【００３９】
磁性体２１は可撓性の材料で構成され、薄板状の形状を有している。そのため、壁面１０１ａ、１０２と広い面積で密着して側面１１ａ、１１ｂの変形を広い範囲にわたって拘束し、設置時の本体１０の変形を防止することができる。また、側面１１ａ、１１ｂ、１２と共に容易に折りたたむことができ、輸送や保管の際に要するスペースを減少させることができる。
【００４０】
磁性体２１は、高さ方向に隙間を設けて配置されている。そのため、隙間が折りたたみ位置の目印にもなりいっそう容易に折りたたむことができる。
【００４１】
本体１０には、本体１０の断面形状と同一形状で水平に設置される水平部４１と、水平部４１の周囲から突出し設置時には側面１１ａ、１１ｂ、１２と平行になる固定部４２ａ、４２ｂ、４３を備えた棚４０が取り付けられている。そのため、本体１０内部の空間を有効に利用することができることに加え、側面１１ａ、１１ｂ、１２をほぼ全周で拘束し本体１０の変形を防止することができる。
【００４２】
本体１０の内側には本体面ファスナー１６が取り付けられている。棚４０の固定部４２ａ、４２ｂ、４３には、本体面ファスナー１６とかみ合う棚面ファスナー４４ａ、４４ｂ、４５がそれぞれ取り付けられている。そのため、本体面ファスナーと棚面ファスナーを密着させてかみ合わせるだけで、工具を用いることなく簡単に棚４０を本体１０に固定することができる。また、折りたたむ際には、棚４０を外したり、図６（ａ）に示すような邪魔にならない状態にすることが容易にでき、棚４０が本体１０に固定されたまま折りたたむ場合に比べ薄く折りたたむことができる。
【００４３】
棚４０の水平部４１と固定部４２ａ、４２ｂ、４３は可撓性の材料で構成されている。水平部４１には、水平部４１と同一の平面形状で剛性のある材料で構成された薄板状の補剛部材５１が重ね合わされて縫合されている。そのため部材の剛性に大きな差が生じる水平部４１と固定部４２ａ、４２ｂ、４３との境目で自然に折れ曲がり、より容易に棚４０を本体１０に固定することができる。
【００４４】
側面１１ａ、１１ｂにエレベータかご１００の壁面１０１ａ、１０２に固定されたフック７２に掛けて固定するフック掛け部１７を備えるようにし、フックを併用して本体１０を固定すれば、磁性体２１のみによって固定する場合に比べ、より強固に固定することができる。
【符号の説明】
【００４５】
１  避難袋
１０  本体
１１ａ、１１ｂ、１２  側面
１３  天板
１４  底板
１６、１６ｄ、１６ｅ、１６ｆ  本体面ファスナー
１７  フック掛け部
１８  フック掛け用穴
１９  補強金具
２１  磁性体
３０ａ、３０ｂ  線ファスナー
３１  スライダー
４０  棚
４１  水平部
４２ａ、４２ｂ、４３  固定部
４４ａ、４４ｂ、４５  棚面ファスナー
５０  布部材
５１  補剛部材
６０  磁性体
７０  フック付き磁石
７１  磁石
７２  フック
１００  エレベータかご
１０１ａ、１０１ｂ、１０２  壁面
１０３  乗降口
１０４  床面
１０５  天井
【図１】
0005214794.tif 000002
【図２】
0005214794.tif 000003
【図３】
0005214794.tif 000004
【図４】
0005214794.tif 000005
【図５】
0005214794.tif 000006
【図６】
0005214794.tif 000007
【図７】
0005214794.tif 000008
【図８】
0005214794.tif 000009
【図９】
0005214794.tif 000010
【図１０】
0005214794.tif 000011
【図１１】
0005214794.tif 000012
【図１２】
0005214794.tif 000013